(57)【要約】【課題】確実にホワイトバランスを調整することができ、品位が良好である肌色を再現することができる映像処理装置、及びコンピュータプログラムを提供する。【解決手段】肌色補正処理部１０の補正信号値取得部１は、ＷＢ補正されたＲ1 Ｇ1 Ｂ1 信号値を取得し、ＷＢ逆補正部２は逆補正を行い、得られたＲ2 Ｇ2 Ｂ2 信号値を、ＹＣｂＣｒ変換部３がＹ1 Ｃｂ1 Ｃｒ1 信号値に変換する。肌色領域検出部４は、肌色領域に相当する画素を検出し、肌色補正部５は、Ｙ1 Ｃｂ1 Ｃｒ1 信号値に肌色補正を施して、Ｙ2 Ｃｂ2 Ｃｒ2 信号値を得、ＲＧＢ変換部６はこれをＲ3 Ｇ3 Ｂ3 信号値に変換する。ＷＢ補正部７は、Ｒ3 Ｇ3 Ｂ3 信号値につきＷＢ補正を行い、Ｒ4 Ｇ4 Ｂ4 信号値を得る。出力部８は、肌色領域に相当する画素につき前記Ｒ4 Ｇ4 Ｂ4 信号値を、肌色領域に相当しない画素につき前記Ｒ1 Ｇ1 Ｂ1 信号値を出力する。【選択図】図２
2009165036.tif 000002
【特許請求の範囲】
【請求項１】
映像信号値を取得する手段、取得した取得映像信号値に基づき、肌色領域に相当する画素を検出する手段、肌色補正を行って肌色補正信号値を得る手段、及び前記肌色領域に相当する画素につき、前記肌色補正信号値を出力し、前記肌色領域に相当しない画素につき、前記取得映像信号値を出力する手段を備える映像処理装置において、
前記肌色補正信号値にホワイトバランス補正を行うホワイトバランス補正手段を有することを特徴とする映像処理装置。
【請求項２】
前記取得映像信号値は、三原色信号のＲ1 Ｇ1 Ｂ1 信号値であり、予めホワイトバランス補正されており、
前記Ｒ1 Ｇ1 Ｂ1 信号値に逆補正を行い、三原色信号のＲ2 Ｇ2 Ｂ2 信号値を得る逆補正手段と、
前記Ｒ2 Ｇ2 Ｂ2 信号値をコンポーネント信号のＹ1 Ｃｂ1 Ｃｒ1 信号値に変換する手段と、
前記Ｙ1 Ｃｂ1 Ｃｒ1 信号値に基づき、肌色領域に相当する画素を検出する手段と、
前記Ｙ1 Ｃｂ1 Ｃｒ1 信号値に肌色補正を行い、前記肌色補正信号値としてのコンポーネント信号のＹ2 Ｃｂ2 Ｃｒ2 信号値を得る手段と、
前記Ｙ2 Ｃｂ2 Ｃｒ2 信号値を三原色信号のＲ3 Ｇ3 Ｂ3 信号値に変換する手段と
を有し、
前記ホワイトバランス補正手段は、前記Ｒ3 Ｇ3 Ｂ3 信号値にホワイトバランス補正を行い、三原色信号のＲ4 Ｇ4 Ｂ4 信号値を得る手段である請求項１に記載の映像処理装置。
【請求項３】
前記逆補正手段、及びホワイトバランス補正手段は、ルックアップテーブルを用いて補正を行う手段である請求項２に記載の映像処理装置。
【請求項４】
コンピュータに、映像信号値を取得させるステップ、取得した各画素に対応する取得映像信号値が肌色領域を表す信号値であるか否かを判定させるステップ、前記取得映像信号値が前記肌色領域を表す信号値であると判定した場合に、肌色補正信号値を算出させるステップ、及び前記肌色領域に相当する画素につき、前記肌色補正信号値を出力させ、前記肌色領域に相当しない画素につき、前記取得映像信号値を出力させるステップを有するコンピュータプログラムにおいて、
コンピュータに、前記肌色補正信号値、及び前記取得映像信号値にホワイトバランス補正を行わせるホワイトバランス補正ステップを有することを特徴とするコンピュータプログラム。
【請求項５】
前記取得映像信号値は、三原色信号のＲ1 Ｇ1 Ｂ1 信号値であり、予めホワイトバランス補正されており、
コンピュータに、前記Ｒ1 Ｇ1 Ｂ1 信号値に逆補正を行わせ、三原色信号のＲ2 Ｇ2 Ｂ2 信号値を得させる逆補正ステップと、
コンピュータに、前記Ｒ2 Ｇ2 Ｂ2 信号値をコンポーネント信号のＹ1 Ｃｂ1 Ｃｒ1 信号値に変換させるステップと、
コンピュータに、前記Ｙ1 Ｃｂ1 Ｃｒ1 信号値が、肌色領域を表す信号値であるか否かを判定させる判定ステップと、
該判定ステップにより、前記Ｙ1 Ｃｂ1 Ｃｒ1 信号値が肌色領域を表す信号値であると判定した場合に、コンピュータに、前記Ｙ1 Ｃｂ1 Ｃｒ1 信号値に肌色補正を行わせ、コンポーネント信号のＹ2 Ｃｂ2 Ｃｒ2 信号値を得させるステップと、
コンピュータに、前記Ｙ2 Ｃｂ2 Ｃｒ2 信号値を三原色信号のＲ3 Ｇ3 Ｂ3 信号値に変換させるステップと、
前記判定ステップにより、前記Ｙ1 Ｃｂ1 Ｃｒ1 信号値が肌色領域を表す信号値でないと判定した場合に、コンピュータに、前記Ｙ1 Ｃｂ1 Ｃｒ1 信号値を前記Ｒ2 Ｇ2 Ｂ2 信号値に変換させるステップと
を有し、
前記ホワイトバランス補正ステップは、前記Ｒ3 Ｇ3 Ｂ3 信号値、及び前記Ｒ2 Ｇ2 Ｂ2 信号値にホワイトバランス補正を行わせ、それぞれ三原色信号のＲ4 Ｇ4 Ｂ4 信号値、及びＲ1 Ｇ1 Ｂ1 信号値を得させるステップである請求項４に記載のコンピュータプログラム。
【請求項６】
前記逆補正ステップ、及び前記ホワイトバランス補正ステップは、ルックアップテーブルを用いて補正を行うステップである請求項５に記載のコンピュータプログラム。
【発明の詳細な説明】
【技術分野】
【０００１】
本発明は、表示装置に出力するＲＧＢ信号に対し、ホワイトバランスを損なうことなく、肌色補正をすることができる映像処理装置及びコンピュータプログラムに関する。
【背景技術】
【０００２】
近年、映像処理装置において、映像信号から肌色領域を検出し、該肌色領域における肌色をユーザの指示に合わせて補正する方法が数多く提案されている。
【０００３】
前記方法を実施するために、映像処理装置が備える肌色補正処理装置の中には、ホワイトバランス（以下、ＷＢという）補正された、映像の三原色のＲＧＢ信号を取得し、該ＲＧＢ信号について肌色補正処理を行うものがある。ＷＢ補正とは、出力するＲＧＢ信号値の混合比率を１：１：１ではなく、例えば１．１：０．９：１．０のように変えることで、ＷＢを調整するものである（例えば、特許文献１、特許文献２）。
【０００４】
図７は、従来の肌色補正処理装置３０の構成を示すブロック図である。
肌色補正処理装置３０は、補正信号値取得部３１、ＹＣｂＣｒ変換部３２、肌色領域検出部３３、肌色補正部３４、ＲＧＢ変換部３５、及び出力部３６を備える。
肌色補正処理装置３０の補正信号値取得部３１には、チューナ（図示せず）から、ルックアップテーブル（以下、ＬＵＴという）を用いてＷＢ補正された三原色信号のＲ1 Ｇ1 Ｂ1 信号値が入力され、補正信号値取得部３１は、Ｒ1 Ｇ1 Ｂ1 信号値をＹＣｂＣｒ変換部３２、及び出力部３６へ出力する。
【０００５】
ＹＣｂＣｒ変換部３２は、次の式（１）に示すように、ＩＴＵ−ＲＢＴ．７０９規格に基づいたＲＧＢ信号値をＹＣｂＣｒ信号値に変換するマトリクス（以下、ＲＧＢ−ＹＣｂＣｒマトリクスという）を用いて、Ｒ1 Ｇ1 Ｂ1 信号値をコンポーネント信号のＹ1 Ｃｂ1 Ｃｒ1 信号値に変換し、得られたＹ1 Ｃｂ1 Ｃｒ1 信号値を肌色領域検出部３３、及び肌色補正部３４へ出力する。
【０００６】
【数１】
2009165036.tif 000003
【０００７】
肌色領域検出部３３は、Ｙ1 Ｃｂ1 Ｃｒ1 信号値に基づき、肌色領域に相当する画素を検出する。
肌色補正部３４は、ユーザにより設定された彩度ｓ、色相θ、及び明度Ｌの係数に基づき、次の式（２）に従い、Ｙ1 Ｃｂ1 Ｃｒ1 信号値に色変換を施し、コンポーネント信号のＹ2 Ｃｂ2 Ｃｒ2信号値を得る。そして、肌色補正部３４は、得られたＹ2 Ｃｂ2 Ｃｒ2信号値をＲＧＢ変換部３５へ出力する。
【０００８】
【数２】
2009165036.tif 000004
【０００９】
そして、肌色補正部３４は、次の式（３）に示すように、ＩＴＵ−ＲＢＴ．７０９規格に基づいたＹＣｂＣｒ信号値をＲＧＢ信号値に変換するマトリクス（以下、ＹＣｂＣｒ−ＲＧＢマトリクスという）を用いて、Ｙ2 Ｃｂ2 Ｃｒ2信号値を三原色信号のＲ2 Ｇ2 Ｂ2信号値に変換し、出力部３６へ出力する。
【００１０】
【数３】
2009165036.tif 000005
【００１１】
前記式（１）〜（３）によるＲ1 Ｇ1 Ｂ1 信号値からＲ2 Ｇ2 Ｂ2 信号値への変換を一つにまとめると、次の式（４）で表される。
【００１２】
【数４】
2009165036.tif 000006
【００１３】
出力部３６は、前記肌色領域に相当する画素につき前記Ｒ2 Ｇ2 Ｂ2 信号値を、前記肌色領域に相当しない画素につき前記Ｒ1 Ｇ1 Ｂ1 信号値を、例えばＬＣＤ（Liquid Crystal Display）ディスプレイ等の表示装置（図示せず）へ出力する。
【特許文献１】特開２００７−１４２９８３号公報
【特許文献２】特開２００６−２３７７９８号公報
【発明の開示】
【発明が解決しようとする課題】
【００１４】
従来の肌色補正処理装置３０においては、前記式（４）におけるｓ、θ、及びＬ等の係数の選択によっては、肌色補正部３４が出力するＲ2 、Ｇ2 、Ｂ2 の各成分の信号値が全て等しくなる場合がある。
例えば、前記式（４）において、ｓ＝０、θ＝０、Ｌ＝１である場合、次の式（５）のようになり、Ｒ2 、Ｇ2 、Ｂ2 の信号値は全て等しくなる。
【００１５】
【数５】
2009165036.tif 000007
【００１６】
本来は、同一の色温度の白色を表示するために、パネル特性や光源特性等に合わせてＲＧＢ信号値の混合比率を変える必要があるが、上記のように従来の肌色補正処理装置３０においては、肌色補正後にはＷＢ補正した結果が反映されないことになり、高品位な肌色を再現することができないという課題があった。
【００１７】
本発明は斯かる事情に鑑みてなされたものであり、ＷＢ補正された映像信号値につき逆補正を行い、さらに肌色補正を行った後に、ＷＢ補正を行うことにより、ＷＢ補正の影響を排除した上で、正確に肌色を検出して肌色補正し、その後、確実にＷＢを調整するので、品位が良好である肌色を再現することができる映像処理装置、及びコンピュータプログラムを提供することを目的とする。
【課題を解決するための手段】
【００１８】
本発明に係る映像処理装置は、映像信号値を取得する手段、取得した取得映像信号値に基づき、肌色領域に相当する画素を検出する手段、肌色補正を行って肌色補正信号値を得る手段、及び前記肌色領域に相当する画素につき、前記肌色補正信号値を出力し、前記肌色領域に相当しない画素につき、前記取得映像信号値を出力する手段を備える映像処理装置において、前記肌色補正信号値にホワイトバランス補正を行うホワイトバランス補正手段を有することを特徴とする。
【００１９】
本発明に係る映像処理装置は、前記取得映像信号値は、三原色信号のＲ1 Ｇ1 Ｂ1 信号値であり、予めホワイトバランス補正されており、前記Ｒ1 Ｇ1 Ｂ1 信号値に逆補正を行い、三原色信号のＲ2 Ｇ2 Ｂ2 信号値を得る逆補正手段と、前記Ｒ2 Ｇ2 Ｂ2 信号値をコンポーネント信号のＹ1 Ｃｂ1 Ｃｒ1 信号値に変換する手段と、前記Ｙ1 Ｃｂ1 Ｃｒ1 信号値に基づき、肌色領域に相当する画素を検出する手段と、前記Ｙ1 Ｃｂ1 Ｃｒ1 信号値に肌色補正を行い、前記肌色補正信号値としてのコンポーネント信号のＹ2 Ｃｂ2 Ｃｒ2 信号値を得る手段と、前記Ｙ2 Ｃｂ2 Ｃｒ2 信号値を三原色信号のＲ3 Ｇ3 Ｂ3 信号値に変換する手段とを有し、前記ホワイトバランス補正手段は、前記Ｒ3 Ｇ3 Ｂ3 信号値にホワイトバランス補正を行い、三原色信号のＲ4 Ｇ4 Ｂ4 信号値を得る手段であることを特徴とする。
【００２０】
本発明に係る映像処理装置は、前記逆補正手段、及びホワイトバランス補正手段は、ルックアップテーブルを用いて補正を行う手段であることを特徴とする。
【００２１】
本発明に係るコンピュータプログラムは、コンピュータに、映像信号値を取得させるステップ、取得した各画素に対応する取得映像信号値が肌色領域を表す信号値であるか否かを判定させるステップ、前記取得映像信号値が前記肌色領域を表す信号値であると判定した場合に、肌色補正信号値を算出させるステップ、及び前記肌色領域に相当する画素につき、前記肌色補正信号値を出力させ、前記肌色領域に相当しない画素につき、前記取得映像信号値を出力させるステップを有するコンピュータプログラムにおいて、コンピュータに、前記肌色補正信号値、及び前記取得映像信号値にホワイトバランス補正を行わせるホワイトバランス補正ステップを有することを特徴とする。
【００２２】
本発明に係るコンピュータプログラムは、前記取得映像信号値は、三原色信号のＲ1 Ｇ1 Ｂ1 信号値であり、予めホワイトバランス補正されており、コンピュータに、前記Ｒ1 Ｇ1 Ｂ1 信号値に逆補正を行わせ、三原色信号のＲ2 Ｇ2 Ｂ2 信号値を得させる逆補正ステップと、コンピュータに、前記Ｒ2 Ｇ2 Ｂ2 信号値をコンポーネント信号のＹ1 Ｃｂ1 Ｃｒ1 信号値に変換させるステップと、コンピュータに、前記Ｙ1 Ｃｂ1 Ｃｒ1 信号値が、肌色領域を表す信号値であるか否かを判定させる判定ステップと、該判定ステップにより、前記Ｙ1 Ｃｂ1 Ｃｒ1 信号値が肌色領域を表す信号値であると判定した場合に、コンピュータに、前記Ｙ1 Ｃｂ1 Ｃｒ1 信号値に肌色補正を行わせ、コンポーネント信号のＹ2 Ｃｂ2 Ｃｒ2 信号値を得させるステップと、コンピュータに、前記Ｙ2 Ｃｂ2 Ｃｒ2 信号値を三原色信号のＲ3 Ｇ3 Ｂ3 信号値に変換させるステップと、前記判定ステップにより、前記Ｙ1 Ｃｂ1 Ｃｒ1 信号値が肌色領域を表す信号値でないと判定した場合に、コンピュータに、前記Ｙ1 Ｃｂ1 Ｃｒ1 信号値を前記Ｒ2 Ｇ2 Ｂ2 信号値に変換させるステップとを有し、前記ホワイトバランス補正ステップは、前記Ｒ3 Ｇ3 Ｂ3 信号値、及び前記Ｒ2 Ｇ2 Ｂ2 信号値にホワイトバランス補正を行わせ、それぞれ三原色信号のＲ4 Ｇ4 Ｂ4 信号値、及びＲ1 Ｇ1 Ｂ1 信号値を得させるステップであることを特徴とする。
【００２３】
本発明に係るコンピュータプログラムは、前記逆補正ステップ、及び前記ホワイトバランス補正ステップは、ルックアップテーブルを用いて補正を行うステップであることを特徴とする。
【００２４】
本発明においては、肌色補正を行った後に、ＷＢ補正を行うので、肌色補正を行うことによりＲ、Ｇ、及びＢの信号値が全て等しくなった場合においても、前記信号値を異ならせて、確実にＷＢ調整することができる。そして、ＷＢ補正された映像信号値を取得する場合、該映像信号値に逆補正を行った上で、肌色補正を施し、ＷＢ補正することで、正確に肌色を検出して補正をすることができ、ＷＢ補正が過剰になされるのが抑制される。
【００２５】
また、本発明においては、ＬＵＴを用いて、ＷＢ補正を行うので、Ｒ、Ｇ、Ｂそれぞれの入力値に対し独立して設定することができ、綿密にＷＢ補正を行うことができる。ＷＢの逆補正もＬＵＴを用いることで、容易にもとの映像信号値に復元することができる。
【発明の効果】
【００２６】
本発明によれば、ＷＢ補正された映像信号値につき逆補正を行い、さらに肌色補正を行った後に、ＷＢ補正を行うことにより、正確に肌色を検出して肌色補正をすることができ、Ｒ、Ｇ、及びＢの信号値が全て等しくなった場合においても、前記信号値を異ならせて、確実にＷＢを調整することができる。従って、品位が良好である肌色を再現することができる。
【発明を実施するための最良の形態】
【００２７】
以下、本発明をその実施の形態を示す図面に基づき具体的に説明する。
実施の形態１．
図１は、本発明の実施の形態１に係る映像処理装置２０の構成を示すブロック図である。
映像処理装置２０は、ＣＰＵ等で構成された制御部１１を備えている。制御部１１はシステムバス１２を介して、肌色補正処理部１０、ＲＯＭ１３、ＲＡＭ１４、操作部１５、映像信号入力部１６、出力部１７、表示部１８等と接続されており、これら各部を制御するとともに、ＲＯＭ１３に格納されている制御プログラムに従って種々の機能を実行する。
【００２８】
ＲＯＭ１３には、上述したように、映像処理装置２０を動作させるために必要な種々の制御プログラム等が予め格納されている。ＲＡＭ１４はＳＲＡＭ又はフラッシュメモリ等で構成されており、制御部１１による制御プログラムの実行時に発生するデータを一時的に記憶する。
【００２９】
操作部１５は、ユーザが映像処理装置２０を操作するために必要な各種のファンクションキーを備えており、ユーザにより各キーが操作されることにより、操作されたキーに対応した制御信号が制御部１１へ送出され、制御部１１は取得した制御信号に対応して、例えば彩度ｓ、色相θ、及び明度Ｌの係数を設定し、ＬＵＴを設定する。
表示部１８は、液晶モニタ又はＬＥＤモニタ等の表示デバイスで構成されており、映像処理装置２０の動作状態、操作部１５及びリモコン装置（図示せず）を通じて入力された各種の情報等の表示を行う。
【００３０】
映像信号入力部１６は、例えば放送中継基地の方向に向けて配置されたアンテナ（図示せず）に接続されており、放送中継基地から送信された映像信号のうちの特定周波数帯域の映像信号を選択して復調するチューナ、又は衛星放送、ケーブルテレビ放送等に対応したチューナから構成される。また、映像信号入力部１６は、ビデオ、ＤＶＤ等の再生機器の外部チューナに接続され、該外部チューナから映像信号を入力するように構成されていてもよい。
映像信号入力部１６は、工場出荷時に、ＷＢを調整するために、入力される映像信号値を、ＬＵＴを用いて三原色信号のＲ1 Ｇ1 Ｂ1 信号値に補正し、肌色補正処理部１０へ出力するように構成されている。以下の表１に、前記ＬＵＴを示す。なお、映像信号入力部１６にコンポーネント信号のＹＣｒＣｂ信号が入力される場合、ＲＧＢ信号に変換した上で、上述の補正を行う。
【００３１】
【表１】
2009165036.tif 000008
【００３２】
ＲＧＢ信号の各要素の輝度値は、８ビットの場合、０から２５５までの値で表される。  表１のＬＵＴを用い、例えば、Ｒの入力値が「２５０」である場合、出力値を「２４８」とし、Ｇの入力値が「２５０」である場合、出力値を「２５０」とし、Ｂの入力値が「２５０」である場合、出力値を「２４２」とする。このように、ＲＧＢ信号の各要素の混合比率を調整することにより、表示装置２１のパネル特性、光源特性等が異なっていても、映像信号が同一であれば同一の色温度の白色を表示することができるように図られている。
【００３３】
肌色補正処理部１０は、ＩＣチップからなり、映像信号入力部１６から取得したＲ1 Ｇ1 Ｂ1 信号値を後述するように補正して、出力部１７へ出力する。
【００３４】
出力部１７は、映像ケーブル及び音声ケーブル（ともに図示せず）を介して、液晶ディスプレイ又はＣＲＴディスプレイ等の表示装置２１に接続されており、肌色補正処理部１０から送出されてきた映像信号の表示に係る処理を行ない、入力した映像信号に基づく映像を表示装置２１に表示させる。
【００３５】
図２は、肌色補正処理部１０の構成を示すブロック図である。
肌色補正処理部１０は、補正信号値取得部１と、ＷＢ逆補正部２と、ＹＣｂＣｒ変換部３と、肌色領域検出部４と、肌色補正部５と、ＲＧＢ変換部６と、ＷＢ補正部７と、出力部８とを備えている。
【００３６】
補正信号値取得部１には、上述したように、映像信号入力部１６からＲ1 Ｇ1 Ｂ1 信号値が入力される。
【００３７】
補正信号値取得部１は、ＷＢ逆補正部２、及び出力部８へＲ1 Ｇ1 Ｂ1 信号値を出力する。
ＷＢ逆補正部２は、ＷＢ補正されたＲ1 Ｇ1 Ｂ1 信号値を逆補正して、三原色信号のＲ2 Ｇ2 Ｂ2 信号値を得る。このとき、前記表１のＬＵＴを用い、例えば、Ｒの入力値が「２４８」である場合、出力値を「２５０」とし、Ｇの入力値が「２５０」である場合、出力値を「２５０」とし、Ｂの入力値が「２４２」である場合、出力値を「２５０」とする。従って、ＲＧＢ信号値の混合比率が１：１：１になる。
【００３８】
ＹＣｂＣｒ変換部３は、次の式（６）に従い、前記ＲＧＢ−ＹＣｂＣｒマトリクスを用いて、三原色信号のＲ2 Ｇ2 Ｂ2 信号値をコンポーネント信号のＹ1 Ｃｂ1 Ｃｒ1 信号値に変換し、得られたＹ1 Ｃｂ1 Ｃｒ1 信号値を肌色領域検出部４、及び肌色補正部５へ出力する。なお、規格はＩＴＵ−ＲＢＴ．７０９規格には限定されない。
【００３９】
【数６】
2009165036.tif 000009
【００４０】
肌色領域検出部４は、Ｙ1 Ｃｂ1 Ｃｒ1 信号値に基づき、肌色領域に相当する画素を検出する。肌色領域検出部４は、輝度値に基づき前記画素を検出する。
肌色補正部５は、上述したようにユーザにより設定された彩度ｓ、色相θ、及び明度Ｌの係数に基づき、前記式（２）に従い、Ｙ1 Ｃｂ1 Ｃｒ1 信号値に色変換（肌色補正）を施し、コンポーネント信号のＹ2 Ｃｂ2 Ｃｒ2 信号値を得る。そして、肌色補正部５は、得られたＹ2 Ｃｂ2 Ｃｒ2 信号値をＲＧＢ変換部６へ出力する。
ＲＧＢ変換部６は、次の式（７）に従い、前記ＹＣｂＣｒ−ＲＧＢマトリクスを用いて、Ｙ2 Ｃｂ2 Ｃｒ2 信号値を三原色信号のＲ3 Ｇ3 Ｂ3 信号値に変換し、Ｒ3 Ｇ3 Ｂ3 信号値をＷＢ補正部７へ出力する。
【００４１】
【数７】
2009165036.tif 000010
【００４２】
ＷＢ補正部７は、前記表１のＬＵＴを用い、Ｒ3 Ｇ3 Ｂ3 信号値をＷＢ補正して三原色信号のＲ4 Ｇ4 Ｂ4 信号値を得る。そして、得られたＲ4 Ｇ4 Ｂ4 信号値を出力部８へ出力する。
ＷＢ補正部７は、前記表１のＬＵＴを用い、例えば、Ｒの入力値が「２５０」である場合、出力値を「２４８」とし、Ｇの入力値が「２５２」である場合、出力値を「２５２」とし、Ｂの入力値が「２５１」である場合、出力値を「２４２」とする。
【００４３】
ここで、表１の工場出荷時にＷＢ補正するために用いられるＬＵＴではなく、前記操作部１５によりユーザが調整値を入力して作成される、下記の表２に示すＬＵＴを用いることにしてもよい。
【００４４】
【表２】
2009165036.tif 000011
【００４５】
表２のＬＵＴを用い、例えば、Ｒの入力値が「２５０」である場合、出力値を「２４８」とし、Ｇの入力値が「２５２」である場合、出力値を「２３８」とし、Ｂの入力値が「２５１」である場合、出力値を「２４２」とする。これにより、ユーザの好みに合わせて、ＷＢが調整される。
【００４６】
出力部８は、フレームを再構成して前記出力部１７へ出力する。すなわち、フレーム全体を構成する画素のうち、前記肌色領域に相当する画素についてはＲ4 Ｇ4 Ｂ4 信号値を前記出力部１７へ出力し、前記肌色領域に相当しない画素については前記Ｒ1 Ｇ1 Ｂ1 信号値を前記出力部１７へ出力する。
【００４７】
図３は、肌色補正処理部１０により肌色補正を行い、表示装置２１で表示した場合の一フレームを示す写真、図４は、前記肌色補正処理装置３０により肌色補正を行い、表示装置２１で表示した場合の一フレームを示す写真である。
図３の写真と図４の写真とを比較することにより、肌色補正を行った後に、ＷＢ補正を行う本実施の形態の肌色補正処理装置１においては、ＷＢ補正を行わない肌色補正処理装置３０より品位が良好である肌色を再現することができることが分かる。
【００４８】
実施の形態２．
図５は、本発明の実施の形態２に係る肌色補正処理をプログラムにより実行する映像処理装置２２の構成を示すブロック図である。図中、図１と同一部分は同一符号を付して詳細な説明を省略する。
映像処理装置２２は、映像処理装置２０の肌色補正処理部１０を備えておらず、ＲＯＭ１３に、本発明のコンピュータプログラムが格納されている。制御部１１は、ＲＯＭ１３に記憶された前記プログラムを読み込み、該プログラムに従って肌色補正処理を実行する。
【００４９】
図６は、制御部１１の肌色補正処理の手順を示すフローチャートである。
制御部１１は、映像信号入力部１６から、ＷＢ補正された三原色信号のＲ1 Ｇ1 Ｂ1 信号値を取得する（Ｓ１）。
【００５０】
そして、制御部１１は、ＷＢ補正されたＲ1 Ｇ1 Ｂ1 信号値を逆補正して、三原色信号のＲ2 Ｇ2 Ｂ2 信号値を得る（Ｓ２）。このとき、工場出荷時に映像信号入力部１６のＷＢ調整用に、設定されたＬＵＴを用いて行う。
【００５１】
制御部１１は、前記式（６）に従い、Ｒ2 Ｇ2 Ｂ2 信号値をコンポーネント信号のＹ1 Ｃｂ1 Ｃｒ1 信号値に変換する（Ｓ３）。
【００５２】
そして、制御部１１は、各画素に対応するＹ1 Ｃｂ1 Ｃｒ1 信号値が肌色領域を表す信号値であるか否かを判定する（Ｓ４）。制御部１１は、輝度値に基づき判定する。
【００５３】
制御部１１は、前記Ｙ1 Ｃｂ1 Ｃｒ1 信号値が肌色領域を表す信号値でないと判定した場合（Ｓ４：ＮＯ）、前記ＹＣｂＣｒ−ＲＧＢマトリクスを用いて、Ｙ1 Ｃｂ1 Ｃｒ1 信号値をＲ2 Ｇ2 Ｂ2 信号値に変換する（Ｓ８）。そして、前記表１のＬＵＴを用い、Ｒ2 Ｇ2 Ｂ2 信号値をＷＢ補正してＲ1 Ｇ1 Ｂ1 信号値を得（Ｓ９）、処理をステップＳ１０へ進める。
【００５４】
制御部１１は、前記Ｙ1 Ｃｂ1 Ｃｒ1 信号値が肌色領域を表す信号値であると判定した場合（Ｓ４：ＹＥＳ）、該信号値につき肌色補正を行う。すなわち、前記式（２）に従ってコンポーネント信号のＹ2 Ｃｂ2 Ｃｒ2 信号値を得る（Ｓ５）。そして、制御部１１は、前記式（７）に従い、Ｙ2 Ｃｂ2 Ｃｒ2 信号値を三原色信号のＲ3 Ｇ3 Ｂ3 信号に変換する（Ｓ６）。
【００５５】
次に、制御部１１は、前記表１又は表２のＬＵＴを用い、Ｒ3 Ｇ3 Ｂ3 信号値をＷＢ補正して三原色信号のＲ4 Ｇ4 Ｂ4 信号値を得る（Ｓ７）。
【００５６】
そして、制御部１１は、フレームを再構成して前記出力部１７へ出力する（Ｓ１０）。すなわち、フレーム全体を構成する画素のうち、前記肌色領域に相当する画素についてはＲ4 Ｇ4 Ｂ4 信号値を前記出力部１７へ出力し、前記肌色領域に相当しない画素については前記Ｒ1 Ｇ1 Ｂ1 信号値を前記出力部１７へ出力する。
【００５７】
本実施の形態においては、ＷＢ補正された映像信号値につき逆補正を行い、さらに肌色補正を行った後に、ＷＢ補正を行うので、正確に肌色を検出して肌色補正をすることができるとともに、肌色補正を行うことによりＲ、Ｇ、及びＢの信号値が全て等しくなった場合においても、前記信号値を異ならせて、確実にＷＢ調整することができる。従って、品位が良好である肌色を再現することができる。
【００５８】
なお、前記実施の形態１及び２においては、映像信号入力部１６がＷＢ補正された映像信号値を肌色補正処理部１０、又は制御部１１へ出力する場合につき説明しているがこれに限定されるものではない。映像処理装置２０又は２２が、入力した映像信号値をＷＢ補正するＷＢ補正処理部を備え、該ＷＢ補正処理部が、ＷＢ補正した映像信号値を肌色補正処理部１０又は制御部１１へ出力するものであってもよい。
また、ＷＢ補正する前の映像信号値を肌色補正処理部１０又は制御部１１へ出力し、前記映像信号値につき肌色補正を行った後に、ＷＢ補正を行い、肌色領域に相当する画素については、肌色補正及びＷＢ補正を行った信号値を前記出力部１７へ出力し、肌色領域に相当しない画素についてはＷＢ補正のみを行った信号値を前記出力部１７へ出力することにしてもよい。
【図面の簡単な説明】
【００５９】
【図１】本発明の実施の形態１に係る映像処理装置の構成を示すブロック図である。
【図２】本発明の実施の形態１に係る肌色補正処理部の構成を示すブロック図である。
【図３】本発明の実施の形態１に係る肌色補正処理部により肌色補正を行い、表示装置で表示した場合の一フレームを示す写真である。
【図４】従来の肌色補正処理装置により肌色補正を行い、表示装置で表示した場合の一フレームを示す写真である。
【図５】本発明の実施の形態２に係る肌色補正処理をプログラムにより実行する映像処理装置の構成を示すブロック図である。
【図６】制御部の肌色補正処理の手順を示すフローチャートである。
【図７】従来の肌色補正処理装置の構成を示すブロック図である。
【符号の説明】
【００６０】
１  補正信号値取得部
２  ＷＢ逆補正部
３  ＹＣｂＣｒ変換部
４  肌色領域検出部
５  肌色補正部
６  ＲＧＢ変換部
７  ＷＢ補正部
８  出力部
１０  肌色補正処理部
１１  制御部
１２  システムバス
１３  ＲＯＭ
１４  ＲＡＭ
１５  操作部
１６  映像信号入力部
１７  出力部
１８  表示部
２０、２２  映像処理装置
２１  表示装置
【図１】
2009165036.tif 000012
【図２】
2009165036.tif 000013
【図７】
2009165036.tif 000014
【図３】
2009165036.tif 000015
【図４】
2009165036.tif 000016
【図５】
2009165036.tif 000017
【図６】
2009165036.tif 000018